(57)【要約】      （修正有）【課題】輸送、製造が容易であり、かつ、気体又は液体を供給して気体収納部を膨満すると、被梱包材の角にあたる部分を保護する形状が形成される梱包材を提供する。【解決手段】２枚のプラスチックフィルム２１／２２を直線状の熱溶着部４１で熱溶着して、気体を収納する多数の気体収納部５１を形成する平面部２０と、前記プラスチックフィルム２１／２２の平面部２０の熱溶着部４１に交差する又は平行にする方向の熱溶着部４２で熱溶着して、気体を収納する気体収納部５２を形成する折り曲げ部３０とを有し、前記平面部２０が、被梱包材の面に配置し、前記折り曲げ部３０が、被梱包材の２つの面が交差する辺で形成される角（第１の角）と、前記被梱包材の３つ以上の面が重なることで形成される角（第２の角）に配置する。【選択図】図１
2013199276.tif 000002
【特許請求の範囲】
【請求項１】
２枚の熱溶着性、可撓性を有するプラスチックフィルムを熱溶着して、気体を収納する気体収納部を設けている梱包材において、
前記梱包材は、
前記プラスチックフィルムを熱溶着部で熱溶着して、気体を収納する気体収納部を形成する平面部と、
前記プラスチックフィルムの平面部の熱溶着部に交差する又は平行する方向の熱溶着部で熱溶着して、気体を収納する気体収納部を形成する折り曲げ部とを有し、
前記平面部が、被梱包材の面に配置し、
前記折り曲げ部が、被梱包材の２つの面が交差する辺で形成される角（第１の角）と、前記被梱包材の３つ以上の面が重なることで形成される角（第２の角）に配置する
ことを特徴とする梱包材。
【請求項２】
請求項１に記載の梱包材において、
前記梱包材が、前記被梱包材の３つの前記第１の角と、１つの前記第２の角に配置される
ことを特徴とする梱包材。
【請求項３】
請求項１に記載の梱包材において、
前記梱包材が、前記被梱包材の５つの前記第１の角と、２つの前記第２の角に配置される
ことを特徴とする梱包材。
【請求項４】
請求項１に記載の梱包材において、
前記梱包材が、前記被梱包材の８つの前記第１の角と、４つの前記第２の角に配置される
ことを特徴とする梱包材。
【請求項５】
請求項１ないし４のいずれかに記載の梱包材において、
前記第２の角で重なる折り曲げ部の気体収納部が、第１の角の当たる気体収納部に連通している
ことを特徴とする梱包材。
【請求項６】
請求項１ないし４のいずれかに記載の梱包材において、
前記第２の角で重なる折り曲げ部の気体収納部が、第１の角の当たる気体収納部のいずれかに連通している
ことを特徴とする梱包材。
【請求項７】
請求項１ないし４のいずれかに記載の梱包材において、
前記第２の角で重なる折り曲げ部の気体収納部が、第１の角の当たる気体収納部から独立している
ことを特徴とする梱包材。
【請求項８】
請求項１ないし７のいずれかに記載の梱包材において、
前記平面部が、複数の気体収納部で形成されている
ことを特徴とする梱包材。
【請求項９】
請求項１ないし８のいずれかに記載の梱包材において、
前記プラスチックフィルムの２枚が、引張強度が異なる
ことを特徴とする梱包材。
【請求項１０】
請求項１ないし８のいずれかに記載の梱包材において、
前記プラスチックフィルムの２枚が、弾性率が異なる
ことを特徴とする梱包材。
【請求項１１】
請求項１ないし８のいずれかに記載の梱包材において、
前記プラスチックフィルムの２枚が、膜厚が異なる
ことを特徴とする梱包材。
【請求項１２】
請求項１ないし１１のいずれかに記載の梱包材において、
前記梱包材が、
外部から気体を注入する気体注入部と、
前記気体注入部から気体を収納する気体収納部への流通路と、
前記流通路から気体収納部へ気体を充満させる注気口と、を有する
ことを特徴とする梱包材。
【請求項１３】
請求項１２に記載の梱包材において、
前記流通路が、前記プラスチックフィルムで形成されている
ことを特徴とする梱包材。
【請求項１４】
請求項１２に記載の梱包材において、
前記流通路が、前記プラスチックフィルムの２枚の間に挿入された１又は２枚のシート部材で形成されている
ことを特徴とする梱包材。
【請求項１５】
請求項１ないし１４のいずれかに記載の梱包材において、
前記注気口が、充満させた気体を漏洩させない逆止弁を設けている
ことを特徴とする梱包材。
【請求項１６】
請求項１ないし１５のいずれかに記載の梱包材において、
前記注気口が、前記プラスチックフィルムの２枚の間に挿入された１又は２枚のシート部材で弁手段を形成している
ことを特徴とする梱包材。
【請求項１７】
請求項１ないし１６のいずれかに記載の梱包材において、
前記平面部及び折り曲げ部の一部を熱溶着せず、全ての気体収納部が連結していて一つの注気口で気体を注入する
ことを特徴とする梱包材。
【請求項１８】
請求項１ないし１６のいずれかに記載の梱包材において、
前記平面部及び／又は折り曲げ部の一部を熱溶着せず、複数の気体収納部を連結させて一つの注気口で気体を注入する
ことを特徴とする梱包材。
【請求項１９】
請求項１ないし１８のいずれかに記載の梱包材において、
前記折り曲げ部の一部を熱溶着せず、複数の気体収納部を連結させて気体が一つの注気口で気体を注入する
ことを特徴とする梱包材。
【請求項２０】
請求項１ないし１９のいずれかに記載の梱包材において、
前記プラスチックフィルム及びシート部材は、ポリアミド、フッ素樹脂、シリコーン樹脂と金属製フィルムの中の何れかをポリエチレン又はポリプロピレンでラミネートしている
ことを特徴とする梱包材。
【発明の詳細な説明】
【技術分野】
【０００１】
本発明は、気体又は液体の流体を収納して、被梱包材の角の保護のため緩衝材として用いられる梱包材に関する。
【背景技術】
【０００２】
一般に、ノートパソコン等の電気製品は発泡スチロールを梱包材として梱包されているが、この発泡スチロールは、梱包作業前の保管場所や物流コスト等の面で大きな負担となっている。これらの問題点を解決するために、プラスチックフィルムを梱包用エアー梱包材として使用する需要が高まってきている。
プラスチックフィルムを材料とする気体密封袋を梱包用エアー梱包材として使用するものとしては、従来より各種のものが提供されている。
【０００３】
特に、特許文献１に記載の気体密封袋は、プラスチックフィルムを重ね合わせ、その所要個所を接着してなる空気の供給路と、その一側縁に連接した空気の密封用袋とから構成され、この密封用袋に、密封用袋を複数個所で接着してなる複数の空気の区画密封用袋と、各区画密封用袋と供給路を各別に連通、遮断可能に構成して配設した逆止弁とが設けられて構成されているものである。この気体密封袋は、各区画密封用袋を横切る方向に、密封用袋の両側において二列ずつ各別に接着して形成した折目により、内部に所要の深さを備えた被包装物の収容スペースが自然に形成されるように構成されている。
しかしながら、前記気体密封袋にあっては、密封袋本体が梱包物全体を覆うだけの大きさを有する事を要するため、梱包物の容積が大きい場合に大量のプラスチックフィルムを必要とする、という問題点を有している。
また発泡スチロールと比べ厚さが足りないため、角部分の保護が十分でなく、搬送等の際に梱包品の角が傷付くというおそれがあった。
【０００４】
また、特許文献２に記載の包装装置は、上面に被包装体が固定される底部スキッドと、該底部スキッドに固定された被包装体の上部から被せる角筒体と、底面が開放された箱体内部に被包装体の上部を保護する緩衝材が設けられ、前記被包装体の上部に被せる上部箱体と、前記角筒体及び前記上部箱体からなる包装箱の側面を接地させた場合に、前記緩衝材と当接する上部箱体の外面接地部位に、取外し可能に設けられたカバー部材とを備え、前記カバー部材の一部を含めて外周をバンドで締結して一体化してなるものである。
そして、「カバー部材は、図２に示されるように、展開されたときの平面形状がほぼ八角形となっており、折り線および切り取り線がそれぞれ設けられている。」ことが記載され、カバー部材として段ボール等の平面部材を用いている。
しかしながら、これらでは、角部分の保護が十分でないという不具合がある。
【０００５】
また、特許文献３に記載の折り曲げ可能な多段式緩衝包装袋は、物品の包装に用いる折り曲げ可能な多段式緩衝包装袋であって、複数の第一緩衝区域を含む第一密封袋シートと、複数の第二緩衝区域を含む第二密封袋シートと、前記第一密封袋シートの、前記第二密封袋シート付近の側面に貼付されて光線を前記物品に反射するために用いる光反射片を含み、前記第二密封袋シートの一端が前記第一密封袋シートに連結されて前記第一密封袋シートと相互に連通され、前記複数の第二緩衝区域と前記複数の第一緩衝区域が相互に対応し、各前記第二緩衝区域と対応する前記第一緩衝区域の三側辺を熱シールで接着して前記物品を収容するための収容空間を形成し、且つ、前記第一密封袋シートと前記第二密封袋シートで前記物品を緩衝保護するものである。
しかしながら、これらでは、角部分の保護が十分でないという不具合がある。
【先行技術文献】
【特許文献】
【０００６】
【特許文献１】特開２００２−２２５９４５号公報
【特許文献２】特開２００６−２９８３８３号公報
【特許文献３】特開２００９−１６１２４５号公報
【発明の概要】
【発明が解決しようとする課題】
【０００７】
そこで、本発明は上記問題点に鑑みてなされたものであり、その課題は、輸送、製造が容易であり、かつ、気体又は液体を供給して気体収納部を膨満すると、被梱包材の角に当たる部分を保護する形状が形成され、大きさや形状の異なる被梱包材の角の保護に対応できる保護機能を有する梱包材を提供することである。
【課題を解決するための手段】
【０００８】
上記課題を解決する手段である本発明の特徴を以下に挙げる。
本発明の梱包材は、２枚の熱溶着性、可撓性を有するプラスチックフィルムを熱溶着して、気体を収納する気体収納部を設けている梱包材において、前記プラスチックフィルムを熱溶着部で熱溶着して、気体を収納する気体収納部を形成する平面部と、前記プラスチックフィルムの平面部の熱溶着部に交差する又は平行する方向の熱溶着部で熱溶着して、気体を収納する気体収納部を形成する折り曲げ部とを有し、前記平面部が、被梱包材の面に配置し、前記折り曲げ部が、被梱包材の２つの面が交差する辺で形成される角（第１の角）と、前記被梱包材の３つ以上の面が重なることで形成される角（第２の角）に配置することを特徴とする。
また、本発明の梱包材は、さらに、前記被梱包材の３つの前記第１の角と、１つの前記第２の角に配置されることを特徴とする。
また、本発明の梱包材は、さらに、前記被梱包材の５つの前記第１の角と、２つの前記第２の角に配置されることを特徴とする。
また、本発明の梱包材は、さらに、前記被梱包材の８つの前記第１の角と、４つの前記第２の角に配置されることを特徴とする。
【０００９】
また、本発明の梱包材は、さらに、前記第２の角で重なる折り曲げ部の気体収納部が、第１の角の当たる気体収納部に連通していることを特徴とする。
また、本発明の梱包材は、さらに、前記第２の角で重なる折り曲げ部の気体収納部が、第１の角の当たる気体収納部のいずれかに連通していることを特徴とする。
また、本発明の梱包材は、さらに、前記第２の角で重なる折り曲げ部の気体収納部が、第１の角の当たる気体収納部から独立していることを特徴とする。
また、本発明の梱包材は、さらに、前記平面部が、複数の気体収納部で形成されていることを特徴とする。
また、本発明の梱包材は、さらに、前記プラスチックフィルムの２枚が、引張強度が異なることを特徴とする。
また、本発明の梱包材は、さらに、前記プラスチックフィルムの２枚が、弾性率が異なることを特徴とする。
また、本発明の梱包材は、さらに、前記プラスチックフィルムの２枚が、膜厚が異なることを特徴とする。
【００１０】
また、本発明の梱包材は、さらに、外部から気体を注入する気体注入部と、前記気体注入部から気体を収納する気体収納部への流通路と、前記流通路から気体収納部へ気体を充満させる注気口と、を有することを特徴とする。
また、本発明の梱包材は、さらに、前記流通路が、前記プラスチックフィルムで形成されていることを特徴とする。
また、本発明の梱包材は、さらに、前記流通路が、前記プラスチックフィルムの２枚の間に挿入された１又は２枚のシート部材で形成されていることを特徴とする。
また、本発明の梱包材は、さらに、前記注気口が、充満させた気体を漏洩させない逆止弁を設けていることを特徴とする。
また、本発明の梱包材は、さらに、前記注気口が、前記プラスチックフィルムの２枚の間に挿入された１又は２枚のシート部材で弁手段を形成していることを特徴とする。
また、本発明の梱包材は、さらに、前記平面部及び折り曲げ部の一部を熱溶着せず、全ての気体収納部が連結していて一つの注気口で気体を注入することを特徴とする。
また、本発明の梱包材は、さらに、前記平面部及び／又は折り曲げ部の一部を熱溶着せず、複数の気体収納部を連結させて一つの注気口で気体を注入することを特徴とする。
また、本発明の梱包材は、さらに、前記折り曲げ部の一部を熱溶着せず、複数の気体収納部を連結させて気体が一つの注気口で気体を注入することを特徴とする。
また、本発明の梱包材は、さらに、前記プラスチックフィルム及びシート部材は、ポリアミド、フッ素樹脂、シリコーン樹脂と金属製フィルムの中の何れかをポリエチレン又はポリプロピレンでラミネートしていることを特徴とする。
【発明の効果】
【００１１】
上記課題を解決する手段により、本発明の梱包材は、様々な大きさと形状を有する被梱包材の角を安定に保護することができる梱包材を提供することができる。また、使用の際にその場で空気を注入することができるため、梱包材自体の保管、輸送が容易に行える。
【図面の簡単な説明】
【００１２】
【図１】本発明の実施形態である梱包材の構成を示す図であり、（ａ）は一つの実施形態、（ｂ）はＡ−Ａ’線の断面、（ｃ）は平面部に熱溶着部のない場合の断面を示している。
【図２】本発明の実施形態である梱包材の構成を示す図であり、（ａ）は一つの実施形態、（ｂ）はＡ２−Ａ２’線の断面を示している。
【図３】本発明の実施形態である梱包材を被梱包材に配置した状態を示す図であり、（ａ）は斜視図であり、（ｂ）はＣ−Ｃ’線における断面図である。
【図４】本発明の実施形態である梱包材の構成を示す図で、（ａ）は平面部を１つ省略し、（ｂ）は平面部を矩形と三角形の形状にし、（ｃ）は平面部を楕円と三角形の形状にした構成を示している。
【図５】本発明の実施形態で、多数の気体収納部を有する梱包材の構成を示す図である。
【図６】本発明の他の実施形態で、多数の気体収納部を有する梱包材の構成を示す図である。
【図７】本発明の実施形態である梱包材の構成を示し、（ａ）は注入部から気体収納部までの経路の構造を示す平面図で、（ｂ）はその構造を示す断面図である。
【図８】本発明の実施形態である梱包材の注入部から気体収納部までの他の経路を示していて、（ａ）は１枚のシート部材、（ｂ）は２枚のシート部材を用いる弁手段の構成を示している。
【図９】本発明の実施形態である梱包材を示す図であり、（ａ）は構成を示す図であり、（ｂ）は被梱包材に配置した状態を示す図である。
【図１０】本発明の実施形態である梱包材の構成を示す図であり、（ａ）は一つの実施形態であり、（ｂ）及び（ｃ）は他の実施形態を示している。る。
【図１１】本発明の実施形態である梱包材を被梱包材に配置した状態を示す図である。
【図１２】本発明の実施形態である梱包材の構成を示す図である。
【図１３】本発明の実施形態である梱包材を被梱包材に配置した状態を示す図である。
【図１４】本発明の実施形態である梱包材の構成を示す図である。
【図１５】本発明の実施形態である梱包材を被梱包材に配置した状態を示す図である。
【図１６】本発明の他の実施形態である梱包材の構成を示す図である。
【図１７】本発明の他の実施形態である梱包材の構成を示す図である。
【発明を実施するための形態】
【００１３】
以下に、本発明を実施するための最良の形態を図面に基づいて説明する。以下の説明はこの発明における実施形態の例であって、この特許請求の範囲を限定するものではない。
なお、いわゆる当業者は特許請求の範囲内における本発明を変更・修正をして他の実施形態をなすことは容易であり、これらの変更・修正はこの特許請求の範囲に含まれる。
【００１４】
図１は、本発明の実施形態である梱包材の構成を示す図であり、（ａ）は一つの実施形態、（ｂ）はＡ−Ａ’線の断面、（ｃ）は平面部に熱溶着部のない場合の断面を示している。
本発明の梱包材１は、プラスチックフィルム２（２１／２２）を直線状の熱溶着部４１で熱溶着して、気体を収納する多数の気体収納部５１を形成する平面部２０と、プラスチックフィルム２１／２２の平面部２０の熱溶着部４１に交差する又は平行にする方向に直線状の熱溶着部４２で熱溶着して、気体を収納する気体収納部５２を形成する折り曲げ部３０とを有している。これを、少なくとも２枚のプラスチックフィルム２（２１／２２）で形成している。このプラスチックフィルム２は、柔軟性のある可撓性を有している。また、熱を加えると容易に溶融し、接触しているプラスチックフィルム２１／２２同士で溶着する熱溶着性を有している。
したがって、２枚のプラスチックフィルム２１／２２を熱溶着することで、気体又は液体の流体を収納する空間を形成することができる。この空間を気体収納部５０（５１／５２）と称する。
この気体収納部５０（５１／５２）を設けた梱包材１を用いることで、種々の大きさと形状を有する被梱包材９０を安定に保護することができる。
【００１５】
さらに、本発明の梱包材１は、平面部２０と折り曲げ部３０とを設けている。
平面部２０は、ここでは、矩形の形状を示しているが、この形状にとらわれない。三角形でも、円弧状でも良い。平面部２０は、被梱包材９０の面９２に対応して配置される。
また、折り曲げ部３０は、被梱包材９０の３つの面で形成される３つの辺によるそれぞれの３つの第１の角９１１、３つの面で形成される３つの辺が重なることで１つの第２の角９１２に対応して配置される。これらは、お互いに、気体を収納する気体収納部が連通していて一つになっていても良い。
図１に示すように、この梱包材１は、４つの平面部２０とＴ字状に一つになっている折り曲げ部３０とを有している。
また、この平面部２０と折り曲げ部３０とは、（ｂ）に示すように、多数の直線状の熱溶着部４１／４２で２枚のプラスチックフィルム２１／２２を溶着して、多数の気体収納部５１／５２を形成する。これで、一つ一つの気体収納部５１／５２は小さくなるが、同じ幅で溶着することで気体を収納したときの気体収納部５１／５２の大きさを小さく、特に、上方向の高さを小さくすることができ、また、一定の大きさにすることで全体として平坦な高さにすることができる。熱溶着部４１／４２の直線の方向はいずれでもよく、（ａ）と（ｂ）とに示すようような方向でも、（ａ）の一部に示すように、これに交差する又は平行にする方向でも良い。さらに、それぞれの平面部２０でそれぞれ異なる方向であっても良い。
なお、（ｃ）に示すように、平面部２０に熱溶着部４１がなく、周縁部のみで形成すると、平面部２０が全体で一つの気体収納部５１となり、球形を形成しようとする力が作用するために多数の熱溶着部を形成している場合と比較して、平面部２０の図面における上下方向の高さが高くなる。これでは、折り曲げ部３０と高さを合わせることができず、平坦な梱包材１にすることが困難となる。
図２は、本発明の実施形態である梱包材の構成を示す図であり、（ａ）は一つの実施形態、（ｂ）はＡ２−Ａ２’線の断面を示している。
ここでは、平面部２０の隣り合う熱溶着部４１を一つにしている。さらに、図示しないが、折り曲げ部３０の熱溶着部４２と平面部２０の隣り合う熱溶着部４１を一つにしてもよい。これによって、一つの気体収納部５１／５２に大きな衝撃が加わり、部分的に損傷した場合でも、隣の気体収納部５１／５２に空気を移動させ、衝撃がなくなった後で、また、部分的に損傷した気体収納部５１／５２に戻ることで、梱包材１の損傷を防止することができる。また、熱溶着する工程を減らすことができ、梱包材１の生産性を上げることができる。
さらに、これによって、平面部２０の気体収納部５１は、容易に並列して形成することができる。
【００１６】
図３は、本発明の実施形態である梱包材を被梱包材に配置した状態を示す図であり、（ａ）は斜視図であり、（ｂ）はＣ−Ｃ’線における断面図である。
図３に示すように、本発明の梱包材１は、被梱包材９０の第１の角９１１及び第２の角９１２に配置される。被梱包材９０では、３つの面９２で形成される３つの辺９３によるそれぞれの３つの第１の角９１１が形成されている。また、被梱包材９０では、３つの面９２で形成される３つの辺９３が重なることで１つの第２の角９１２が形成されている。また、３つ以上の面９２で形成される３つ以上の辺９３が重なることで１つの第２の角９１２が形成されている被梱包材９０にも適用することができる。これによって生ずる第２の角９１２に対応させた折り曲げ部３０を設けることで、本発明の梱包材１で対応することができる。ただし、以下では、３つの面９２で形成される第２の角９１２を有する被梱包材９０を用いて説明する。
これによって、とくに、この被梱包材９０の第１の角９１１及び第２の角９１２を、本発明の梱包材１で保護することで、被梱包材９０が損傷するのを防止することができる。
さらに詳細には、折り曲げ部３０の気体収納部５２が、被梱包材９０の２つの面９２が交差する１つの辺９３が形成する第１の角９１１に当てられる。このために、折り曲げ部３０は、少なくとも１つの気体収納部５２を設けている。
被梱包材９０が直方体であれば、２つの面９２が交差する交差部分は１つの辺９３となり、第１の角９１１を形成する。この第１の角９１１の角度が鋭角、鈍角にかかわらず被梱包材９０は、外部に対して辺９３の直線部分で接触したときに応力が集中する。なお、直方体でなくとも、多段の平面形態であっても、ミクロ的には２つ以上の面が交差して角９１を形成している。
したがって、本発明の梱包材１では、折り曲げ部３０を設けて角９１に対応させると共に、気体収納部５２を直接に角９１に当てることで応力が集中し大きな衝撃を緩衝して、それによって、被梱包材９０が損傷するのを防止することができる。
【００１７】
また、梱包材１、気体収納部５１／５２における２枚のプラスチックフィルム２１／２２で、ここでは、被梱包材と接触しない上側を第１のプラスチックフィルム２１、被梱包材と直接に接触する下側を第２のプラスチックフィルム２２で形成される。
気体収納部５１／５２を形成する第１のプラスチックフィルム２１の幅と第２のプラスチックフィルム２２の幅は異なる。
ここでは、上側にある第１のプラスチックフィルム２１の幅を第２のプラスチックフィルム２２の幅よりも長くする。これによって、気体収納部５１／５２の膨張させる方向を上向きにすることができる。
さらに、折り曲げ部３０の気体収納部５２が、被梱包材９０の２つの面９２が交差する１つの辺９３が形成する第１の角９１１、第２の角９１２に当てられるときに、気体収納部５２の幅の短い方の面を被梱包材９０の角９１に当てる。これによって、梱包材１を被梱包材９０に密着させることができる。
また、折り曲げ部３０の気体収納部５２が、被梱包材９０の第１の角９１１、第２の角９１２に当てられたときに、平面部２０の気体収納部５１の高さと、折り曲げ部３０の気体収納部５２の高さとを同じにする。これによって、外部からの衝撃を均等に受けることで被梱包材９０が損傷するのを防止することができる。
【００１８】
また、折り曲げ部３０の熱溶着部４２で形成される気体収納部５２の幅を、平面部２０の熱溶着部４１で形成される気体収納部５１の幅より長くする。折り曲げ部３０の気体収納部５２の幅を長くすることで、広い面積で被梱包材９０の角９１を保護することができる。
また、折り曲げ部３０の直線状の熱溶着部４２の幅を、平面部２０の直線状の熱溶着部４１の幅より長くする。折り曲げ部３０を、平面部２０に拘束されることなく、曲げやすくすることができる。
また、本発明の梱包材１のプラスチックフィルム２１／２２の破損するまでの引張強度が異なる。引張強度が異なることで、プラスチックフィルム２１／２２が耐えられる気体の圧力が異なってくる。
特に、下側にある第２のプラスチックフィルム２２の破損するまでの引張強度を第１のプラスチックフィルム２１の破損するまでの引張強度よりも高くする。これによって、折り曲げ部３０の気体収納部５２の第２のプラスチックフィルム２２が、被梱包材９０の第１の角９１１、第２の角９１２に当てられる。したがって、下側にある第２のプラスチックフィルム２２の破壊までの引張強度を高くすることで、強い衝撃を受けても、損傷し難い梱包材１を提供する。
また、本発明の梱包材１のプラスチックフィルム２１／２２の弾性率が異なる。下側にある第２のプラスチックフィルム２２の弾性率を第１のプラスチックフィルム２１の弾性率よりも高くする。これによって、折り曲げ部３０の気体収納部５２の第１のプラスチックフィルム２１が、被梱包材９０の第１の角９１１に当てられる。したがって、下側にある第２のプラスチックフィルム２２は、強い衝撃を受けることがある。第２のプラスチックフィルム２２の弾性率を高くすることで、衝撃を受けても変形して損傷し難い梱包材１を提供する。
また、本発明の梱包材１のプラスチックフィルム２１／２２の膜厚が異なる。下側にある第２のプラスチックフィルム２２の膜厚を第１のプラスチックフィルム２１の膜厚よりも厚くする。これによって、折り曲げ部３０の気体収納部５２が、被梱包材９０の第１の角９１１、第２の角９１２に膜厚の厚い方が当てられて、強い衝撃を受けても、損傷し難い梱包材１を提供する。さらに、ある程度平坦な梱包材１にすることで、被梱包材９０との密着性を高めて、被梱包材９０を保護することができる。
【００１９】
梱包部１を構成するプラスチックフィルム２１／２２、シート部材３１／３２は、ポリエチレンやポリプロピレンなどヒートシール性を有するプラスチック製フィルムと、ポリアミドやフッ素樹脂、シリコーン等のフィルムとをラミネートしたものである。
プラスチック製フィルムの片面に、ヒートシール性のある材質が現れるようにしたのは、梱包材本体を製袋するために、内側の表面同士を熱溶着する必要があるからである。
また、本発明の梱包材１を構成するプラスチック製フィルムは、ポリアミドやフッ素樹脂、シリコーン等のフィルムを挟んで、その両表面に、ポリエチレンやポリプロピレンなどヒートシール性を有するプラスチック製フィルムをラミネートする構成としてもよい。また、間に挟むフィルムは、アルミ製フィルム等の金属製フィルムを挟むこととしてもよい。中間のフィルムは、ガス透過性を考慮して設けたものである。このようにすることで、製袋された梱包材１の外側の表面同士を熱溶着することができる。
【００２０】
図４は、本発明の実施形態である梱包材の構成を示す図で、（ａ）は平面部を１つ省略し、（ｂ）は平面部を矩形と三角形の形状にし、（ｃ）は平面部を楕円と三角形の形状にした構成を示している。
本発明の梱包材１は、（ａ）では、図１に示した梱包材１のうち平面部２０を１つ省略している。これは、図３の被梱包材９０の側面で、２つの平面部２０が重ならないように、矩形の形状のみの１枚にする。この１枚の矩形形状の平面部２０を粘着テープ等で、他の平面部２０又は被梱包材９０に固定する。なお、この平面部２０の形状は特に限定しない。
また、（ｂ）では、本発明の梱包材１は、平面部２０を矩形と三角形の形状にしている。これは、図３の被梱包材９０の側面で、２つの平面部２０を三角形にすることで、平面部２０を重ならないようにする。この三角形の平面部２０を、被梱包材９０に配置するときに、粘着テープで接着させておくことで被梱包材９０を保護することができる。
また、（ｃ）では、本発明の梱包材１は、平面部２０を楕円と三角形の形状にしている。このように、本発明の梱包材１は、平面部２０の形状は限定しない。
【００２１】
図５は、本発明の実施形態で、多数の気体収納部を有する梱包材の構成を示す図である。
本発明の梱包材１は、直線状の熱溶着部４１と、その熱溶着部４１の間に形成される気体収納部５１とを有している。この図は、上記図１のＢ領域の一部を示している。
折り曲げ部３０は、直線状の熱溶着部４２と、その熱溶着部４２の間に形成される気体収納部５２とを有している。この折り曲げ部３０の直線状の熱溶着部４２は、平面部２０の直線状の熱溶着部４１に対して、交差する又は平行にする方向にして設けられる。周縁部又は他の熱溶着部４１に対して斜めにしても良いが、気体を流通させる経路を形成する場合に、構造が複雑になるので、交差する又は平行にする方向にすることが好ましい。
また、折り曲げ部３０の熱溶着部４２を平面部２０の熱溶着部４１に対して平行に設けたときには、それぞれの気体収納部５１／５２も、図５に示すように、平行に設けられる。
この折り曲げ部３０が、少なくとも２つ以上の直線状の熱溶着部４２と前記２つ以上の直線状の熱溶着部４２とで形成される間に、気体収納部５２を設けている。折り曲げ部３０の熱溶着部４２は、２つ以上で偶数で設けられる。
また、熱溶着部４２を２つのみ設ける場合でも、幅を広くすることが好ましい。この気体を収納していない部分では、容易に曲げることができるため、両側に複数本又は幅を広くすることで、折り曲げ部３０が被梱包材９０の第１の角に対応できるようにする。
また、気体収納部５１／５２までは、気体を内部に送り込むための入口に当たる注入部６１と、注入された気体を通す流通路６２と、この流通路６２から気体を分けて流通させ、次いで、注気口６４に連絡している。注気口６４から注入された気体を収納することで、気体収納部５１／５２を膨らませる。また、この流通路６２から注気口６４までの間に導入路６３を設けてもよい。この流通路６２から導入路６３、注気口６４までは、未溶着部分を設けることで気体を流通させている。これらについては、後述する。
図６は、本発明の他の実施形態で、多数の気体収納部を有する梱包材の構成を示す図である。
ここでは、平面部２０と折り曲げ部３０とで隣り合っている熱溶着部４１／４２を一つの熱溶着部４０にしている。また、平面部２０の隣り合う熱溶着部４１を一つにしている。これによって、一つの気体収納部５１／５２に大きな衝撃が加わり、部分的に損傷した場合でも、隣の気体収納部５１／５２に空気を移動させ、衝撃がなくなった後で、また、部分的に損傷した気体収納部５１／５２に戻ることで、梱包材１の損傷を防止することができる。また、熱溶着する工程を減らすことができ、梱包材１の生産性を上げることができる。さらに、平面部２０の気体収納部５１は、容易に並列して形成することができる。
【００２２】
さらに、本発明の梱包材９０では、平面部２０および折り曲げ部３０の気体収納部５１／５２に気体又は液体を供給するために、注入部６１、流通路６２、注気口６４を設けている。
図７は、本発明の実施形態である梱包材の構成を示し、（ａ）は注入部から気体収納部までの経路の構造を示す平面図で、（ｂ）はその構造を示す断面図である。
ここでは、図７（ａ）に示すように、気体を注入して、内部に送り込むための入口に当たる注入部６１と、注入された気体を通す流通路６２と、この流通路６２から気体を分けて流通させ、次いで、注気口６４に連絡している。注気口６４から注入された気体を収納することで、気体収納部５１／５２を膨らませる。また、この流通路６２から注気口６４までの間に導入路６３を設けてもよい。
また、導入路６３は、図７（ａ）に示すように、気体が通過する経路を迷路構造又は細路構造のジグザクの形態にする。このジグザク形態の経路の幅、長さを変えることで気体が気体収納部５１／５２に収納する時間を調整することができる。注入部６１からの距離により供給される気体に時間差、圧力差が生じることがある。したがって、注入部６１から遠い距離にある気体収納部５１／５２の注気口６４のジグザク形態の経路では、気体の進行方向に対する経路の幅を広くする。
さらに、ジグザク形態の折り返しを少なくして経路自体の長さを短くする。これらによって、注入部６１から遠い距離にある気体収納部５１／５２では、注入部６１から近い距離にある気体収納部５１／５２により、気体を短時間で収納することができる。
【００２３】
また、図７（ｂ）に示すように、気体収納部５１／５２に接続している注気口６４に逆止弁６５１を設けることがある。この逆止弁６５１は、通常のように、円筒状の吸気弁、逆止弁を有するような立体形状、又は、ある高さを有するものでは不便であり、また、プラスチックフィルム２１／２２を傷つけることもある。したがって、ここでは、フィルムで構成された薄い逆止弁６５１を気体収納部５１／５２ごとに、その注気口６４に設けても良い。フィルムで構成された薄い逆止弁６５１は、気体、流体がある方向から逆方向へ流れようとするのを止めることができる。
２枚のプラスチックフィルム２１／２２を熱溶着して袋を形成し、その内部に空気を封入してなる梱包材１では、空気の封入に逆止弁６５１を用いる。つまり、熱溶着可能なプラスチックフィルム２１／２２の中央部を貫いて溶着を防止するための剥離剤等を印刷・塗布したものを２枚重ね、両側縁を熱溶着したプラスチックフィルム２１／２２に挟み込んで、逆止弁６５１は使用する。これによって、本発明の梱包材１は、注入部６１から気体、液体等を注入して、気体収納部５１／５２に収納することができる。
【００２４】
図８は、本発明の実施形態である梱包材の注入部から気体収納部までの他の経路を示していて、（ａ）は１枚のシート部材、（ｂ）は２枚のシート部材を用いる弁手段の構成を示している。
図８に示すように、ここで、注気口６４は、シート部材３上にスリットとして切り込みを入れたものである。これによって、流通路６２から気体収納部５１／５２に気体が注入される。この注気口６４は、コの字状に切り込んでもよい。コの字状にすることで、気体を注入する面積を大きくとることができるので、気体の注入速度を速くすることができる。また、気体収納部５１／５２に気体が充満した後は、シート部材３は可撓性のあるプラスチック製フィルムなので変形しやすくなっていることで、他のプラスチックフィルム２に押圧されやすいことから、気体の漏洩を少なくすることができる。
さらに、梱包材１となる第１のプラスチックフィルム２１と第２のプラスチックフィルム２２とを配置し、その間に第１のシート部材３１を配置する。（ａ）に示すように、気体が流通路６２から導入路６３を経て、注気口６４から気体収納部５１／５２に充満されてゆく。図中の黒い矢印は気体の流れを、白い矢印は押圧力を示している。
このときに、第１のシート部材３１は、（ａ）に示すように、矢印方向に圧力を受けて押し上げられる。第１のシート部材３１が押し上げられて第１のプラスチックフィルム２１に密着することで、注気口６４、さらに、導入路６３が狭まってくる。その結果、自制式に気体の注入は抑えられて一定の量の気体が充満したところで停止する。気体が充填した後は、可撓性の高いフィルムによる第１のシート部材３１は、注気口６４、導入路６３を他の第１のプラスチックフィルム２１に押圧させて、内部から塞がっており、気体収納部５１／５２の気体は漏れていくことがない。
本発明の梱包材１は、逆止弁６５１を用いることなく、注気口６４に可撓性の高いプラスチック製フィルムのシート部材３１を弁手段６５２として用いることで、充満した気体の圧力によって注気口６４が導入路６３を形成する他の第１のプラスチックフィルム２１に押圧させて気体の漏れを防止することができる。また、生産性だけではなく、各気体収納部５１／５２に逆止弁６５１を装着するとすれば多数の逆止弁６５１が必要になりコストがかかり実用的ではない。本発明の梱包材１は、逆止弁６５１を用いることなく、単に可撓性のシート部材３を弁手段６５２として用いる。
【００２５】
また、本発明の梱包材１は、（ｂ）に示すように、第１のプラスチックフィルム２１と第２のプラスチックフィルム２２との間に１枚のプラスチック製フィルムの第１のシート部材３１を配置したが、２枚以上の第１及び第２のシート部材３１／３２を弁手段６５２として配置してもよい。
この実施形態では、本発明の梱包材１では、第１及び第２のシート部材３１／３２で導入路６３、注気口６４を構成している。気体を気体収納部５１／５２に充満させると、気体収納部５１／５２の圧力が高まって、気体収納部５１／５２が膨張し、その内圧で導入路６３、注気口６４を塞ぐことで、弁手段６５２として動作する。ここで、（ｂ）に示すように、弁手段６５２の第１及び第２のシート部材３１／３２が導入路６３等が気体収納部５１／５２に留まることがある。または、弁手段６５２の第１及び第２のシート部材３１／３２が第１及び第２のプラスチックフィルム２１／２２に押圧されて密着することもある。いずれにおいても内部の圧力で、気体が充填した後は、注気口６４は内部から塞がって弁手段６５２として動作することで気体収納部５１／５２の気体は漏れていくことがない。
また、注入部６１、流通路６２を２枚のシート部材３１／３２の間に設けても良い。また、注入部６１、流通路６２には２枚のシート部材を設けず、導入路６３、注気口６４、気体収納部５１／５２とを設けてもよい。いずれにしても、２枚のシート部材３１／３２が気体収納部５１／５２で、気体の内圧による弁手段６５２として作用するようになっていれば足りる。
【００２６】
図９は、本発明の実施形態である梱包材を示す図であり、（ａ）は構成を示す図であり、（ｂ）は被梱包材に配置した状態を示す図である。
ここで、本発明の梱包材１は、（ａ）に示すように、平面部２０と折り曲げ部３０とを設けていて、被梱包材９０の３つの面で形成される３つの辺によるそれぞれの３つの第１の角９１１、３つの面で形成される３つの辺が重なることで１つの第２の角９１２に対応して配置される。
少なくとも、被梱包材９０の３つの面９２に対応する３つの平面部２０を有することで、被梱包材９０が直方体、立方体又は角を有する部材を保護することができる。ここでは、平面部２０が６つになるように見えるが、３つの平面部２０を切り離して被梱包材９０に合わせたときに重ならないようにしているためである。
そのうえ、（ｂ）に示すように、被梱包材９０が直方体、立方体であれば、本発明の梱包材１を２つ、それぞれの第２の角９１２に複数を配置することで、最も損傷しやすい角の部分を保護することができる。なお、（ｂ）に示していないが、被梱包材９０に合わせて全ての第２の角９１２に、それぞれに本発明の梱包材１を８つ配置することで、最も損傷しやすい被梱包材９０の全ての角を保護することができる。
【００２７】
図１０は、本発明の実施形態である梱包材の構成を示す図であり、（ａ）は一つの実施形態であり、（ｂ）及び（ｃ）は他の実施形態を示している。
る。
図１１は、本発明の実施形態である梱包材を被梱包材に配置した状態を示す図である。
ここでは、本発明の梱包材１は、第１の角９１１が５つあり、さらに、第２の角９１２が２つある、被梱包材９０に配置する。図１１に示すように本発明の梱包材１が、４つの面に対応するために６つの平面部２０と、５つの折り曲げ部３０を有している。また、重なる部分も生ずることから、（ｂ）に示すように、２つの平面部２０を省略しても良い。
また、（ｃ）に示すように、平面部２０が重ならないように、三角形状にしても良い。平面部２０の形状を特に限定しない。重なっている場合は両方の平面部２０を粘着テープで固定しても良い。また、重ならない場合でも、平面部２０を被梱包材９０に粘着テープで固定しても良い。
【００２８】
図１２は、本発明の実施形態である梱包材の構成を示す図である。
図１３は、本発明の実施形態である梱包材を被梱包材に配置した状態を示す図である。
ここでは、図１２及び図１３に示すように、本発明の梱包材１は、第１の角９１１が８つあり、さらに、第２の角９１２が４つある被梱包材９０に配置する。本発明の梱包材１は、図１２に示すように、５つの面に対応するために９つの平面部２０と、８つの折り曲げ部３０を有している。
また、平面部２０が重なる部分も生ずることから、いずれかの平面部２０を省略しても良いし、小さくしても良い。
重なっている場合は両方の平面部２０を粘着テープで固定しても良い。また、重ならない場合でも、平面部２０を被梱包材９０に粘着テープで固定しても良い。
【００２９】
図１４は、本発明の実施形態である梱包材の構成を示す図である。
図１５は、本発明の実施形態である梱包材を被梱包材に配置した状態を示す図である。
ここでは、図１５に示すように、本発明の梱包材１は、第１の角９１１が８つあり、さらに、第２の角９１２が４つある被梱包材９０に配置する。本発明の梱包材１は、図１４に示すように、５つの面に対応するために９つの平面部２０と、８つの折り曲げ部３０を有している。
また、平面部が重なる部分も生じないように、側面を形成する平面部を三角形状、及び、端部の一部を三角形状にしている。
【００３０】
図１６は、本発明の他の実施形態である梱包材の構成を示す図である。
平面部２０及び折り曲げ部３０の一部を熱溶着せず、全ての気体収納部５１／５２が連結していて一つの注入部６１で気体を注入する。
図１６に示すように、一つの注入部６１から気体を供給し、短い流通路６２から導入路６３、注気口６４を経て気体収納部５１／５２に気体を供給する。このときに、注気口６４に逆止弁６５１を設ける。これによって、逆止弁６５１の使用が少なくて低コストの梱包材１が得られる。また、一つの気体収納部５１／５２に大きな衝撃が加わり、部分的に損傷した場合でも、隣の気体収納部５１／５２に空気を移動させ、衝撃がなくなった後で、また、部分的に損傷した気体収納部５１／５２に戻ることで、梱包材１の損傷を防止することができる。
これは、平面部２０、折り曲げ部３０の熱溶着部４１／４２の一部に剥離剤等を印刷又は塗布することで、２枚のプラスチックフィルム２１／２２の熱溶着を防止して、気体又は液体の流体の通過することができる連通部１０１を形成することができる。
図１７は、本発明の他の実施形態である梱包材の構成を示す図である。
また、平面部２０及び／又は折り曲げ部３０の一部を熱溶着せず、全ての接している気体収納部５１／５２が連結していて、折り曲げ部３０の気体収納部５２が平面部２０の気体収納部５１の一部と連通部１０１を形成して連結している。
したがって、被梱包材９０に配置したときに、被梱包材９０が大きな圧力を受けた際に、折り曲げ部３０の気体収納部５２の気体の一部は、平面部２０の気体収納部５１に移動する。これによって、折り曲げ部３０の気体収納部５２が衝撃、圧力で損傷するのを防止することができる。また、ここでは、各注気口６４に逆止弁６５１を設ける。
【符号の説明】
【００３１】
１  梱包材
２  プラスチックフィルム
２１  第１のプラスチックフィルム
２２  第２のプラスチックフィルム
３  シート部材
３１  第１のシート部材
３２  第２のシート部材
２０  平面部
３０  折り曲げ部
４０  熱溶着部
４１  平面部の熱溶着部
４２  折り曲げ部の熱溶着部
５０  気体収納部
５１  平面部の気体収納部
５２  折り曲げ部の気体収納部
６１  注入部
６２  流通路
６３  導入路
６４  注気口
６５１      逆止弁
６５２      弁手段
９０  被梱包材
９１  角
９１１  第１の角
９１２  第２の角
９２  面
９３  辺
１０１  連通部（未熱溶着部）
【図１】
2013199276.tif 000003
【図２】
2013199276.tif 000004
【図３】
2013199276.tif 000005
【図４】
2013199276.tif 000006
【図５】
2013199276.tif 000007
【図６】
2013199276.tif 000008
【図７】
2013199276.tif 000009
【図８】
2013199276.tif 000010
【図９】
2013199276.tif 000011
【図１０】
2013199276.tif 000012
【図１１】
2013199276.tif 000013
【図１２】
2013199276.tif 000014
【図１３】
2013199276.tif 000015
【図１４】
2013199276.tif 000016
【図１５】
2013199276.tif 000017
【図１６】
2013199276.tif 000018
【図１７】
2013199276.tif 000019